(57)【要約】【課題】電源コードのブッシュ部と嵌合するキャビネットの凹部の深さが浅くても、電源コードが容易に脱落するのを防止できる電源コードの固定構造を提供する。【解決手段】主基板４を支持するレール７と一体に突設されたリブ壁７ａの後端に、レール７を横切って右方向に引き出される電源コード５を係止する切込み７ｂを形成するとともに、ブッシュ部６を収容する凹部２１の支持部２１ａの左壁面に、ブッシュ部６の溝６ａに左右方向から圧接するリブ条２１ｂを設けた。【選択図】図３
2008244562.tif 000002
【特許請求の範囲】
【請求項１】
フロントキャビネットと、
前記フロントキャビネットとともにテレビジョン受像器の筐体を構成するリアキャビネットと、
前記筐体の内部から外部に引き出され、所定の位置にブッシュ部を含む電源コードと、
前記電源コードの一端が接続されるともに、その接続部の近傍にヒューズが実装された主基板と、
前記フロントキャビネットの内面に左右に対向して一体に突設され、前記主基板の左右端部が挿入されて主基板を支持する一対のレールと、
前記フロントキャビネットにおける前記リアキャビネットに接続する側の縁部の近傍であって一方の前記レールに隣接した位置に形成され、電源コードのブッシュ部を収容し、該ブッシュ部の高さよりも小さい深さ寸法を有する凹部と、
前記リアキャビネットにおける前記フロントキャビネットに接続する側の縁部に設けられ、前記凹部に電源コードのブッシュ部を収容した状態で、この部分を覆う突出片と、
を備え、
前記主基板上の接続部から一方の前記レールを横切って左右方向に引き出された電源コードを、後方に撓ませて前記ブッシュ部を前記凹部に収容するとともに、前記突出片により前記ブッシュ部を上方から押さえるテレビジョン受像器の電源コードの固定構造において、
一方の前記レールと一体に突設されたリブ壁の後端に、該レールを横切って左右方向に引き出される電源コードを差し入れる切込みを形成するとともに、
前記凹部の左右壁面のうち、前記主基板に近い方の壁面にのみ、ブッシュ部を左右方向に押圧するリブ条を設けたことを特徴とするテレビジョン受像器の電源コードの固定構造。
【請求項２】
フロントキャビネットと、
前記フロントキャビネットとともに筐体を構成するリアキャビネットと、
前記筐体の内部から外部に引き出され、所定の位置にブッシュ部を含む電源コードと、
前記電源コードの一端が接続されるともに、その接続部の近傍にヒューズが実装された主基板と、
前記フロントキャビネットの内面に左右に対向して一体に突設され、前記主基板の左右端部が挿入されて主基板を支持する一対のレールと、
前記フロントキャビネットにおける前記リアキャビネットに接続する側の縁部の近傍であって一方の前記レールに隣接した位置に形成され、電源コードのブッシュ部を収容する凹部と、
を備え、
前記主基板上の接続部から一方の前記レールを横切って左右方向に引き出された電源コードを、後方に撓ませて前記ブッシュ部を前記凹部に収容する電源コードの固定構造において、
一方の前記レールと一体に突設されたリブ壁の後端に、該レールを横切って左右方向に引き出される電源コードを差し入れる切込みを形成するとともに、
前記凹部の左右壁面の少なくとも一方に、ブッシュ部を左右方向に押圧するリブ条を設けたことを特徴とする電源コードの固定構造。
【請求項３】
前記リブ条を、前記凹部の左右壁面のうち、前記主基板に近い方の壁面にのみ設けたことを特徴とする請求項２に記載の電源コードの固定構造。
【請求項４】
前記リブ条を、前記凹部の左右壁面の両方に設けたことを特徴とする請求項２に記載の電源コードの固定構造。
【請求項５】
前記リアキャビネットにおける前記フロントキャビネットに接続する側の縁部に、前記凹部に電源コードのブッシュ部を収容した状態で、この部分を覆う突出片を設けたことを特徴とする請求項２〜４のいずれかに記載の電源コードの固定構造。
【発明の詳細な説明】
【技術分野】
【０００１】
本発明は、電源コードを機器本体に固定するようにした電源コードの固定構造及びテレビジョン受像器に関するものである。
【背景技術】
【０００２】
従来のテレビジョン受像器の電源コードの固定構造として、例えば、図５に示すように、フロントキャビネット１０１におけるリアキャビネット１０２に接続する側の縁部近傍箇所に、電源コード１０３のブッシュ部１０４を嵌め込み、このブッシュ部１０４に対応した形状の凹部１０５を形成する一方、リアキャビネット１０２におけるフロントキャビネット１０１に接続する側の縁部に、凹部１０５に電源コード１０３のブッシュ部１０４を嵌め込んだ状態で、この部分を覆うための突出片１０６を設けたものが提案されている（特許文献１参照）。電源コード１０３の一端は、リアキャビネット１０２の底面近傍に略水平に配設される主基板１０７上に接続されている。
【０００３】
この従来の電源コードの固定構造では、図５のように、フロントキャビネット１０１の底面部よりも下方に張り出すように囲い１０８を形成して、この囲い１０８の内側に凹部１０５を形成することで、凹部１０５の深さをある程度確保するようにしている。
【特許文献１】実用新案登録第３０６０９５２号公報（図１）
【発明の開示】
【発明が解決しようとする課題】
【０００４】
しかしながら、フロントキャビネット１０１のデザイン状の制約により凹部１０５の深さを十分に確保できないことがあり、凹部１０５の深さがブッシュ部１０４の高さの２／３程度まで浅くなって、凹部１０５の上面と突出片１０６の高さ位置にギャップが形成される場合があった。この場合、凹部１０５の側壁面による保持力が弱いために、電源コード１０３を引っ張ったりしたとき、ブッシュ部１０４が凹部１０５から浮き上がり、突出片１０６を上方に弾性変形させるようにして電源コード１０３が脱落してしまうおそれがあった。特に、主基板１０７上の電源コード１０３の接続部位からフロントキャビネット１０１の凹部１０５までの距離が長く確保できない場合、その間で撓まされている電源コード１０３が弾性復元力で伸張するときに、主基板１０７上に実装されたヒューズ１０９に接触して安全上問題があった。
【０００５】
本発明は、上記の課題に鑑みてなされたものであり、電源コードのブッシュ部と嵌合するキャビネットの凹部の深さが浅くても、電源コードが容易に脱落するのを防止できる電源コードの固定構造を提供することを目的とする。
【課題を解決するための手段】
【０００６】
上記目的を達成するために請求項１に係るテレビジョン受像器の電源コードの固定構造は、フロントキャビネットと、前記フロントキャビネットとともにテレビジョン受像器の筐体を構成するリアキャビネットと、前記筐体の内部から外部に引き出され、所定の位置にブッシュ部を含む電源コードと、前記電源コードの一端が接続されるともに、その接続部の近傍にヒューズが実装された主基板と、前記フロントキャビネットの内面に左右に対向して一体に突設され、前記主基板の左右端部が挿入されて主基板を支持する一対のレールと、前記フロントキャビネットにおける前記リアキャビネットに接続する側の縁部の近傍であって一方の前記レールに隣接した位置に形成され、電源コードのブッシュ部を収容し、該ブッシュ部の高さよりも小さい深さ寸法を有する凹部と、前記リアキャビネットにおける前記フロントキャビネットに接続する側の縁部に設けられ、前記凹部に電源コードのブッシュ部を収容した状態で、この部分を覆う突出片と、を備え、前記主基板上の接続部から一方の前記レールを横切って左右方向に引き出された電源コードを、後方に撓ませて前記ブッシュ部を前記凹部に収容するとともに、前記突出片により前記ブッシュ部を上方から押さえるテレビジョン受像器の電源コードの固定構造において、一方の前記レールと一体に突設されたリブ壁の後端に、該レールを横切って左右方向に引き出される電源コードを差し入れる切込みを形成するとともに、前記凹部の左右壁面のうち、前記主基板に近い方の壁面にのみ、ブッシュ部を左右方向に押圧するリブ条を設けたことを特徴としている。
【０００７】
また、請求項２に係る電源コードの固定構造は、フロントキャビネットと、前記フロントキャビネットとともに筐体を構成するリアキャビネットと、前記筐体の内部から外部に引き出され、所定の位置にブッシュ部を含む電源コードと、前記電源コードの一端が接続されるともに、その接続部の近傍にヒューズが実装された主基板と、前記フロントキャビネットの内面に左右に対向して一体に突設され、前記主基板の左右端部が挿入されて主基板を支持する一対のレールと、前記フロントキャビネットにおける前記リアキャビネットに接続する側の縁部の近傍であって一方の前記レールに隣接した位置に形成され、電源コードのブッシュ部を収容する凹部と、を備え、前記主基板上の接続部から一方の前記レールを横切って左右方向に引き出された電源コードを、後方に撓ませて前記ブッシュ部を前記凹部に収容する電源コードの固定構造において、一方の前記レールと一体に突設されたリブ壁の後端に、該レールを横切って左右方向に引き出される電源コードを差し入れる切込みを形成するとともに、前記凹部の左右壁面の少なくとも一方に、ブッシュ部を左右方向に押圧するリブ条を設けたことを特徴としている。
【０００８】
また、請求項３に係る電源コードの固定構造は、請求項２に記載された電源コードの固定構造において、前記リブ条を、前記凹部の左右壁面のうち、前記主基板に近い方の壁面にのみ設けたことを特徴としている。
【０００９】
また、請求項４に係る電源コードの固定構造は、請求項２に記載された電源コードの固定構造において、前記リブ条を、前記凹部の左右壁面の両方に設けたことを特徴としている。
【００１０】
また、請求項５に係る電源コードの固定構造は、請求項２〜４のいずれかに記載された電源コードの固定構造において、前記リアキャビネットにおける前記フロントキャビネットに接続する側の縁部に、前記凹部に電源コードのブッシュ部を収容した状態で、この部分を覆う突出片を設けたことを特徴としている。
【発明の効果】
【００１１】
請求項１に係るテレビジョン受像器の電源コードの固定構造によると、主基板上の接続部から一方のレールを横切って左右方向に引き出される電源コードは、切込みに差し入れられて係止されるため、電源コードの前後方向及び上下方向の位置決めを行うことが可能となる。また、電源コードのブッシュ部が収容部に嵌り込むとともに、収容部の左右壁面の少なくとも一方に設けられたリブ条がブッシュ部を左右方向に押圧することにより、ブッシュ部を収容部に確実に固定することができる。
【００１２】
また、電源コードのブッシュ部を収容部に収容するとき、主基板上の接続部からレールを横切って左右方向に引き出された電源コードを、後方に撓ます必要があるため、リブ条がブッシュ部を左右方向に押圧する力が、撓んだ電源コードが弾性復元力によって伸張しようとする力に逆らわないようにすることができる。
【００１３】
さらに、リアキャビネットの突出片が、収容部に収容された電源コードのブッシュ部を上方から押させて状態になり、確実にブッシュ部の収容部からの抜け防止が図られる。
【００１４】
請求項２に係る電源コードの固定構造によると、主基板上の接続部から一方のレールを横切って左右方向に引き出される電源コードは、切込みに差し入れられて係止されるため、電源コードの前後方向及び上下方向の位置決めを行うことが可能となる。また、電源コードのブッシュ部が収容部に嵌り込むとともに、収容部の左右壁面の少なくとも一方に設けられたリブ条がブッシュ部を左右方向に押圧することにより、ブッシュ部を収容部に確実に固定することができる。
【００１５】
請求項３に係る電源コードの固定構造によると、電源コードのブッシュ部を収容部に収容するとき、主基板上の接続部からレールを横切って左右方向に引き出された電源コードを、後方に撓ます必要があるため、リブ条がブッシュ部を左右方向に押圧する力が、撓んだ電源コードが弾性復元力によって伸張しようとする力に逆らわないようにすることができる。
【００１６】
請求項４に係る電源コードの固定構造によると、電源コードのブッシュ部を、凹部の左右壁面に設けた一対のリブ条により挟持する格好となって、ブッシュ部を収容部により強固に固定することができる。
【００１７】
請求項５に係る電源コードの固定構造によると、リアキャビネットの突出片が、収容部に収容された電源コードのブッシュ部を上方から押させて状態になり、確実にブッシュ部の収容部からの抜け防止が図られる。
【発明を実施するための最良の形態】
【００１８】
以下、本発明の実施の形態について図面を参照して説明する。
【００１９】
図１は、本発明の一実施形態によるテレビジョン受像器を示した分解斜視図である。図２は、このテレビジョン受像器における電源コードの固定手法を説明するための斜視図である。
【００２０】
テレビジョン受像器１は、図１に示すように、樹脂製のフロントキャビネット２と、フロントキャビネット２とともに筐体を構成する樹脂製のリアキャビネット３と、テレビジョン受像器１の制御を行うプリント配線基板（以下、「主基板」と称する）４と、を備えている。なお本実施形態では、フロントキャビネット２は、テレビジョン受像器１の前面及び底面の大部分を構成し、リアキャビネット３は、テレビジョン受像器１の上面、両側面、背面及び底面の残りの部分を構成している。
【００２１】
主基板４上の前方側（矢印Ｆ方向）であって右方側（矢印Ｒ方向）の端部には、主基板４に電力を供給するための電源コード５が接続されている。この電源コード５は、図２に示すように、外周に溝部７ａが形成された樹脂製のブッシュ部６を有している。主基板４上の電源コード５の接続部近傍には、ヒューズ９が実装されている。主基板４の後端部は、リアキャビネット３の背面の内面に一体に形成された挟みリブ３３によって保持され、位置決めされる。
【００２２】
フロントキャビネット２は、図２に示すように、後方側（矢印Ｂ方向）に向かって突出する底面部２ａを有し、底面部２ａの内面には、左右方向に対向して、主基板４を支持する一対のレール７、８が一体に突設されている。レール７の前方側（矢印Ｆ方向）の部分には、レール７の右方側（矢印Ｒの方向）の側面と面一となるように、リブ壁７ａが一体に突設されており、リブ壁７ａの後方側（矢印Ｂの方向）の端部には、電源コード５を差し入れることができる程度の大きさを有する切込み７ｂが形成されている。
【００２３】
フロントキャビネット２の底面部２ａは、レール７、８に隣接する鱗片部２ｂ、２ｃを残して左右側部が切り欠かれている。他方、リアキャビネット３の底面部３ａは、このようなフロントキャビネット２の底面部２ａに対応する部分が切り欠かれた平面形状を有している。このため、テレビジョン受像器１の筐体が組立てられたとき、フロントキャビネット２の底面部２ａの後方側（矢印Ｂ方向）の縁部とリアキャビネット３の底面部３の前方側（矢印Ｆ方向）の縁部が接続され、両底面部２ａ、３ａによってテレビジョン受像器１の底面が構成されるようになっている。
【００２４】
フロントキャビネット２の鱗片部２ｂの後方側（矢印Ｂ方向）の端部であって、レール７に隣接した位置に、図２に示すように、収容部（凹部）２１が形成されている。収容部２１は、図２に示すように、電源コード５のブッシュ部６を収容するために設けられており、電源コード５のブッシュ部６に対応する形状に形成されている。この収容部２１には、ブッシュ部６の溝部６ａに嵌り込む支持部２１ａが形成されている。さらに、支持部２１ａの左壁面には、ブッシュ部６の溝部６ａに圧接するリブ条２１ｂが形成されている。これにより、ブッシュ部６は右方側（矢印Ｒ方向）に押圧され、収容部２１からの抜け防止が図られる。
【００２５】
なお、本実施形態において、支持部２１ａの左右壁面のうち、主基板４に近い方の壁面である、左壁面にのみリブ条２１ｂを設けている。これは、電源コード５のブッシュ部６を収容部２１に収容するとき、主基板４上の接続部からレール７を横切って右方側（矢印Ｒ方向）に引き出された電源コード５を、後方側（矢印Ｂ方向）に撓ます必要があるため、リブ条２１ｂがブッシュ部６を左右方向に押圧する力が、撓んだ電源コード５が弾性復元力によって伸張しようとする力に逆らわないようにするためである。しかしながら、支持部２１ａの右壁面にのみ同様のリブ条を設けたとしても、ブッシュ部６の抜け防止としての効果は十分である。さらに言えば、支持部２１ａの左右両方の壁面に同様のリブ条を設ければ、ブッシュ部６の溝部６ａを左右一対のリブ条により挟持する格好となって、ブッシュ部６を収容部２１により強固に固定することができるようになる。
【００２６】
収容部２１の前方側（矢印Ｆ方向）に連続して誘導溝２２が形成される。誘導溝２２は、収容部２１に向かうにしたがって深くなるような形状に形成されている。これにより、収容部２１にブッシュ部６を収容した際に、ブッシュ部６近傍の電源コード５が折れ曲がるのを抑制することが可能である。
【００２７】
リアキャビネット３には、収容部２１に対応して、突出片３１が設けられている。突出片３１は、図３に示すように、リアキャビネット３の背面の内面からフロントキャビネット２側（矢印Ｆ方向）に向かって延びて突出するように、リアキャビネット３に一体に形成されている。突出片３１は、電源コード５のブッシュ部６を上方から押さえるために設けられている。突出片３１の下方には、図３に示すように、逃がし部３２が形成されている。逃がし部３２は、電源コード５をテレビジョン受像器１の内部から外部へ引き出す（逃がす）ために設けられている。
【００２８】
次に、本実施形態によるテレビジョン受像器１における電源コード５の固定方法を説明する。まず、図２に示した主基板４を、前方側（矢印Ｆ方向）に移動して、フロントキャビネット２の底面部２ａに設けられた一対のレールに嵌め込む。ここで、主基板４に取付けられている電源コード５を切込み７ｂに差し入れ、切込み７ｂのエッジ部で一旦前方へ曲げてから後方に撓ませるようにしてブッシュ部６を収容部２１側に移動させる。これにより、主基板４上の接続部からレール７を横切って右方側（矢印Ｒの方向）に引き出される電源コード５は、切込み７ｂに差し入れられて係止されるため、電源コード５の前後方向及び上下方向の位置決めを行うことが可能となる。
【００２９】
そして、電源コード５のブッシュ部６を収容部２１の上方から移動させて収容部２１内に収容する。このとき、図３に示すように、ブッシュ部６の溝６ａに収容部２１の支持部２１ａが入り込むとともに、支持部２１に設けられたリブ条２１ｂがブッシュ部６の溝６ａを右方側（矢印Ｒ方向）に押圧することにより、ブッシュ部６を収容部２１に確実に固定することができる。そして、図１に示したフロントキャビネット２の後方からリアキャビネット３を嵌め込む。これによって、図４に示すように、リアキャビネット３の突出片３２の下面が、収容部２１に収容された電源コード５のブッシュ部６を上方から押させて状態になり、確実にブッシュ部６の収容部２１からの抜け防止が図られる。
【００３０】
なお、上記実施形態は、すべての点で例示であって制限的なものではない。例えば、上記実施形態では、テレビジョン受像器を例に説明したが、本発明はこれに限らず、電源コードを備えたものであれば、ビデオデッキやＤＶＤ駆動装置を含むビデオ一体型やＤＶＤ一体型テレビジョン受像器などにも適用可能である。
【産業上の利用可能性】
【００３１】
本発明は、電源コードを備えた電子機器、特に、テレビジョン受像器に利用することができる。
【図面の簡単な説明】
【００３２】
【図１】は、本発明の一実施形態によるテレビジョン受像器を示した分解斜視図である。
【図２】は、このテレビジョン受像器における電源コードの固定手法を説明するための斜視図である。
【図３】は、このテレビジョン受像器における電源コードの固定手法を説明するための斜視図である。
【図４】は、このテレビジョン受像器における電源コードの固定手法を説明するための断面図である。
【図５】は、従来の電源コードの固定構造を示す斜視図である。
【符号の説明】
【００３３】
１    テレビジョン受像器
２    フロントキャビネット
３    リアキャビネット
４    主基板
５    電源コード
６    ブッシュ部
６ａ  溝
７、８  レール
７ａ  リブ壁
７ｂ  切込み
９    ヒューズ
２１  収容部（凹部）
２１ａ  支持部
２１ｂ  リブ条
２２  誘導溝
３１  突出片
３２  逃がし部
【図１】
2008244562.tif 000003
【図２】
2008244562.tif 000004
【図３】
2008244562.tif 000005
【図４】
2008244562.tif 000006
【図５】
2008244562.tif 000007